(57)【要約】【課題】ユーザーが必要とする時、自分で上蓋と枠体との係止を解除してPLランプの検査や交換ができ、また、係止レバーの係止作用により安全性が向上されるPL灯ベースを提供する。【解決手段】上蓋と枠体と回路基板とベースと係止レバーとからなり、上蓋が枠体と係止して結合し、回路基板とベースとの初期結合体とともに枠体の凹み空間に挿入し、ベースと枠体とが係止することにより組立てられ、ベースがPLランプを挿設することに供され、電源電流が回路基板により制御されてからPLランプの点灯に供され、係止レバーがベースに貫設され、回路基板と枠体とを通して上蓋と係止することができる。【選択図】図２
0003124008.tif 000002
【実用新案登録請求の範囲】
【請求項１】
中央に、電線を通すための雄ネジ穴があり、底部に、凹み空間が形成され、当該凹み空間に、二つの対称する、導電シートを挿設するための挿設空間があり、また、シート上の貫通スロットと結合するための対称する貫通スロットが設けられ、また、当該シートが、当該上蓋の底部に位置し、当該シートに、対称する穴が設けられ、当該穴の一端に、拡大の円孔がある上蓋と、
上面に、二つの、ネック部がある突出ピンが固設され、底部に、開口して凹み空間が形成され、当該開口の近くの壁体に、若干の係止穴が形成され、内側壁の対称する二つの位置に、それぞれ、平面案内側壁が設けられ、当該突出ピンを、それぞれ対応する当該シートの円孔に挿入して回転し、ネック部が穴に沿ってもう一端に抵当することにより、当該突出ピンが、対応する導電シートに、付勢して確実に抵当できる枠体と、
若干の電子素子が実装された印刷回路基板であり、上へ向かって二つの電線が、延伸して当該突出ピンに接続され、また、板面に、複数の挿入穴が設けられる回路基板と、
上面に、クリップ体を収納するための複数の収納穴が設けられ、当該クリップ体に、上へ延伸する、当該回路基板の挿入穴に挿設するためのガイドシートがあり、これにより、当該回路基板との初期結合が形成され、外側壁に、対称する２箇所に平面案内側壁が設けられ、底部の周縁に、若干の、下へ延伸する、当該枠体の係止穴に対応するフックが設けられ、底部の中央に、ランプクリップを収納するための挿入槽が形成され、当該挿入槽の両側に、前記のクリップ体を収納するための複数の小さい挿入穴があるベースと、
が含有され、
当該回路基板と当該ベースの初期結合体を、当該枠体の凹み空間に挿入する時、当該ベースの平面案内側壁を当該枠体の平面案内側壁に沿って移動して、当該ベースのフックが、当該枠体の対応する係止穴に係止され、当該ベースが、安定的に、当該枠体の底部の開口に結合される、
ことを特徴とするPL灯ベース。
【請求項２】
当該導電シートの後方に、当該挿設空間の中の収納槽に収納され、当該導電シートを付勢できる弾性部品が固設されることを特徴とする請求項１に記載のPL灯ベース。
【請求項３】
当該枠体の外側に、更に、環状体である雌ねじが螺着できるおねじが設けられ、当該環状体が、当該枠体のおねじにより、上下に移動できることを特徴とする請求項１に記載のPL灯ベース。
【請求項４】
当該環状体に、更に、外部へ突出する、例えば、灯笠のようなものを抵当するための突出縁があることを特徴とする請求項１に記載のPL灯ベース。
【請求項５】
中央に、電線を通すための雄ネジ穴があり、底部に、凹み空間が形成され、当該凹み空間に、二つの対称する、導電シートを挿設するための挿設空間があり、また、シート上の貫通スロットと結合するための対称する貫通スロットが設けられ、また、当該シートが、当該上蓋の底部に位置し、当該シートに、対称する穴が設けられ、当該穴の一端に、拡大の円孔がある上蓋と、
上面に、二つの、ネック部がある突出ピンが固設され、底部に、開口して凹み空間が形成され、当該開口の近くの壁体に、若干の係止穴が形成され、内側壁の対称する二つの位置に、それぞれ、平面案内側壁が設けられ、当該突出ピンを、それぞれ対応する当該シートの円孔に挿入して回転し、ネック部が穴に沿ってもう一端に抵当することにより、当該突出ピンが、対応する導電シートに、付勢して確実に抵当できる枠体と、
若干の電子素子が実装された印刷回路基板であり、上へ向かって二つの電線が、延伸して当該突出ピンに接続され、また、板面に、複数の挿入穴が設けられる回路基板と、
上面に、クリップ体を収納するための複数の収納穴が設けられ、当該クリップ体に、上へ延伸する、当該回路基板の挿入穴に挿設するためのガイドシートがあり、これにより、当該回路基板との初期結合が形成され、外側壁に、対称する２箇所に平面案内側壁が設けられ、底部の周縁に、若干の、下へ延伸する、当該枠体の係止穴に対応するフックが設けられ、底部の中央に、ランプクリップを収納するための挿入槽が形成され、当該挿入槽の両側に、前記のクリップ体を収納するための複数の小さい挿入穴があり、当該回路基板と当該ベースの初期結合体を、当該枠体の凹み空間に挿入する時、当該ベースの平面案内側壁を当該枠体の平面案内側壁に沿って移動して、当該ベースのフックが、当該枠体の対応する係止穴に係止されることにより、安定的に、当該枠体の底部の開口に結合されるベースと、
底端の近くに突出した横棒が設けられ、当該ベースの貫通孔を介して、当該回路基板と当該枠体の対応する貫通孔に通し、上端が、当該枠体の貫通孔から突出し、そして、ある角度に回転して、放されると、当該横棒が、当該枠体の階段面に位置する係止レバーと、
が含有される、
ことを特徴とするPL灯ベース。
【請求項６】
当該導電シートの後方に、当該挿設空間の中の収納槽に収納され、当該導電シートを付勢できる弾性部品が固設されることを特徴とする請求項５に記載のPL灯ベース。
【請求項７】
PLランプが、当該ベースの挿入槽に挿入されると、当該係止レバーを上へ移動させ、上端が、当該枠体の貫通孔から突出し、当該上蓋の対応する貫通孔に位置することにより、当該上蓋と当該枠体とは、回転できないため、離れなくなることを特徴とする請求項５に記載のPL灯ベース。
【請求項８】
中央に、電線を通すための雄ネジ穴があり、底部に、凹み空間が形成され、当該凹み空間に、二つの対称する、導電シートを挿設するための挿設空間があり、また、シート上の貫通スロットと結合するための対称する貫通スロットが設けられ、また、当該シートが、当該上蓋の底部に位置し、当該シートに、対称する穴が設けられ、当該穴の一端に、拡大の円孔がある上蓋と、
上面に、二つの、ネック部がある突出ピンが固設され、底部に、開口して凹み空間が形成され、当該開口の近くの壁体に、若干の係止穴と係止孔が形成され、当該係止孔が、高抵当部と低抵当部を有する階段状であり、内側壁の対称する二つの位置に、それぞれ、平面案内側壁が設けられ、当該突出ピンを、それぞれ対応する当該シートの円孔に挿入して回転し、ネック部が穴に沿ってもう一端に抵当することにより、当該突出ピンが、対応する導電シートに、付勢して確実に抵当できる枠体と、
若干の電子素子が実装された印刷回路基板であり、上へ向かって二つの電線が、延伸して当該突出ピンに接続され、また、板面に、複数の挿入穴が設けられる回路基板と、
上面に、クリップ体を収納するための複数の収納穴が設けられ、当該クリップ体に、上へ延伸する、当該回路基板の挿入穴に挿設するためのガイドシートがあり、これにより、当該回路基板との初期結合が形成され、外側壁に、対称する２箇所に平面案内側壁が設けられ、底部の周縁に、若干の、下へ延伸する、当該枠体の係止穴に対応するフックと、当該枠体の係止孔に対応する、階段状である係止槽とが設けられ、底部の中央に、ランプクリップを収納するための挿入槽が形成され、当該挿入槽の両側に、前記のクリップ体を収納するための複数の小さい挿入穴があり、当該回路基板と当該ベースの初期結合体を、当該枠体の凹み空間に挿入する時、当該ベースの平面案内側壁を当該枠体の平面案内側壁に沿って移動して、当該ベースのフックが、当該枠体の対応する係止穴に係止されることにより、安定的に、当該枠体の底部の開口に結合されるベースと、
底端の近くに突出した横棒が設けられ、位置付け部品を挿入するための位置付け穴が設けられ、当該ベースの貫通孔を通して当該位置付け穴が当該ベースの上面より高い位置に位置付けることができ、また、上方から弾性部品が嵌設され、そして、当該位置付け部品を挿入してから、手を放すと、降下して、当該弾性部品の一端が位置付けられ、そのもう一端が、当該枠体の階段面に抵当し、更に、当該回路基板と当該枠体の対応する貫通孔を通し、当該横棒が、当該枠体の係止孔の低抵当部に位置する時、上端が枠体から突出しなく、当該横棒が、当該枠体の係止孔の高抵当部に位置する時、当該弾性部品の回復力により、上へ移動し、そして、枠体を通して上蓋の貫通孔に位置し、係止される係止レバーと、
が含有される、
ことを特徴とするPL灯ベース。
【請求項９】
当該導電シートの後方に、当該挿設空間の中の収納槽に収納され、当該導電シートを付勢できる弾性部品が固設されることを特徴とする請求項８に記載のPL灯ベース。
【考案の詳細な説明】
【技術分野】
【０００１】
本考案は、PL灯ベースに関し、特に、係止による組立て式の構造を有し、使用安全性が向上されるPL灯ベースに関する。
【背景技術】
【０００２】
従来のPL灯ベースは、一般として、ベース体を、直接に、実装箇所(例如：天井)にロックして、ユーザーが、PLランプを当該灯ベースの槽に挿設する。一般として、従来のPL灯ベースは、固定式構造であり、即ち、出荷の時、その構造を分解できなく(或いは、分解されると、構造が破壊されるか効果が失う)、消費者として、PL灯ベースが実装箇所に実装されたら、PLランプを挿設か交換することだけができ、灯ベース自身に対して、検査や修理等をできなく、そして、灯ベースは、一般として、高い位置に固定されるため、ユーザーがPLランプを交換する時、高い所で作業しなければならなく、非常に不便である。
【考案の開示】
【考案が解決しようとする課題】
【０００３】
本考案の主な目的は、実装しても、ユーザーが簡単に一部の構造を分離でき、PLランプの検査や交換が便利である係止組立て式構造のPL灯ベースを提供する。
【０００４】
本考案の他の目的は、更に、係止の作用が得られ、使用安全性が向上される係止組立て式構造のPL灯ベースを提供する。
【課題を解決するための手段】
【０００５】
本考案は、中央に、電線を通すための雄ネジ穴があり、底部に、凹み空間が形成され、当該凹み空間に、二つの対称する、導電シートを挿設するための挿設空間があり、また、シート上の貫通スロットと結合するための対称する貫通スロットが設けられ、また、当該シートが、当該上蓋の底部に位置し、当該シートに、対称する穴が設けられ、当該穴の一端に、拡大の円孔がある上蓋と、上面に、二つの、ネック部がある突出ピンが固設され、底部に、開口して凹み空間が形成され、当該開口の近くの壁体に、若干の係止穴が形成され、内側壁の対称する二つの位置に、それぞれ、平面案内側壁が設けられ、当該突出ピンを、それぞれ対応する当該シートの円孔に挿入して回転し、ネック部が穴に沿ってもう一端に抵当することにより、当該突出ピンが、対応する導電シートに、付勢して確実に抵当できる枠体と、若干の電子素子が実装された印刷回路基板であり、上へ向かって二つの電線が、延伸して当該突出ピンに接続され、また、板面に、複数の挿入穴が設けられる回路基板と、上面に、クリップ体を収納するための複数の収納穴が設けられ、当該クリップ体に、上へ延伸する、当該回路基板の挿入穴に挿設するためのガイドシートがあり、これにより、当該回路基板との初期結合が形成され、外側壁に、対称する２箇所に平面案内側壁が設けられ、底部の周縁に、若干の、下へ延伸する、当該枠体の係止穴に対応するフックが設けられ、底部の中央に、ランプクリップを収納するための挿入槽が形成され、当該挿入槽の両側に、前記のクリップ体を収納するための複数の小さい挿入穴があるベースと、が含有され、当該回路基板と当該ベースの初期結合体を、当該枠体の凹み空間に挿入する時、当該ベースの平面案内側壁を当該枠体の平面案内側壁に沿って移動して、当該ベースのフックが、当該枠体の対応する係止穴に係止され、当該ベースが、安定的に、当該枠体の底部の開口に結合される、ことを特徴とするPL灯ベースである。
【０００６】
本考案は、中央に、電線を通すための雄ネジ穴があり、底部に、凹み空間が形成され、当該凹み空間に、二つの対称する、導電シートを挿設するための挿設空間があり、また、シート上の貫通スロットと結合するための対称する貫通スロットが設けられ、また、当該シートが、当該上蓋の底部に位置し、当該シートに、対称する穴が設けられ、当該穴の一端に、拡大の円孔がある上蓋と、上面に、二つの、ネック部がある突出ピンが固設され、底部に、開口して凹み空間が形成され、当該開口の近くの壁体に、若干の係止穴が形成され、内側壁の対称する二つの位置に、それぞれ、平面案内側壁が設けられ、当該突出ピンを、それぞれ対応する当該シートの円孔に挿入して回転し、ネック部が穴に沿ってもう一端に抵当することにより、当該突出ピンが、対応する導電シートに、付勢して確実に抵当できる枠体と、若干の電子素子が実装された印刷回路基板であり、上へ向かって二つの電線が、延伸して当該突出ピンに接続され、また、板面に、複数の挿入穴が設けられる回路基板と、上面に、クリップ体を収納するための複数の収納穴が設けられ、当該クリップ体に、上へ延伸する、当該回路基板の挿入穴に挿設するためのガイドシートがあり、これにより、当該回路基板との初期結合が形成され、外側壁に、対称する２箇所に平面案内側壁が設けられ、底部の周縁に、若干の、下へ延伸する、当該枠体の係止穴に対応するフックが設けられ、底部の中央に、ランプクリップを収納するための挿入槽が形成され、当該挿入槽の両側に、前記のクリップ体を収納するための複数の小さい挿入穴があり、当該回路基板と当該ベースの初期結合体を、当該枠体の凹み空間に挿入する時、当該ベースの平面案内側壁を当該枠体の平面案内側壁に沿って移動して、当該ベースのフックが、当該枠体の対応する係止穴に係止されることにより、安定的に、当該枠体の底部の開口に結合されるベースと、底端の近くに突出した横棒が設けられ、当該ベースの貫通孔を介して、当該回路基板と当該枠体の対応する貫通孔に通し、上端が、当該枠体の貫通孔から突出し、そして、ある角度に回転して、放されると、当該横棒が、当該枠体の階段面に位置する係止レバーと、が含有される、ことを特徴とするPL灯ベースである。
【０００７】
本考案は、中央に、電線を通すための雄ネジ穴があり、底部に、凹み空間が形成され、当該凹み空間に、二つの対称する、導電シートを挿設するための挿設空間があり、また、シート上の貫通スロットと結合するための対称する貫通スロットが設けられ、また、当該シートが、当該上蓋の底部に位置し、当該シートに、対称する穴が設けられ、当該穴の一端に、拡大の円孔がある上蓋と、上面に、二つの、ネック部がある突出ピンが固設され、底部に、開口して凹み空間が形成され、当該開口の近くの壁体に、若干の係止穴と係止孔が形成され、当該係止孔が、高抵当部と低抵当部を有する階段状であり、内側壁の対称する二つの位置に、それぞれ、平面案内側壁が設けられ、当該突出ピンを、それぞれ対応する当該シートの円孔に挿入して回転し、ネック部が穴に沿ってもう一端に抵当することにより、当該突出ピンが、対応する導電シートに、付勢して確実に抵当できる枠体と、若干の電子素子が実装された印刷回路基板であり、上へ向かって二つの電線が、延伸して当該突出ピンに接続され、また、板面に、複数の挿入穴が設けられる回路基板と、上面に、クリップ体を収納するための複数の収納穴が設けられ、当該クリップ体に、上へ延伸する、当該回路基板の挿入穴に挿設するためのガイドシートがあり、これにより、当該回路基板との初期結合が形成され、外側壁に、対称する２箇所に平面案内側壁が設けられ、底部の周縁に、若干の、下へ延伸する、当該枠体の係止穴に対応するフックと、当該枠体の係止孔に対応する、階段状である係止槽とが設けられ、底部の中央に、ランプクリップを収納するための挿入槽が形成され、当該挿入槽の両側に、前記のクリップ体を収納するための複数の小さい挿入穴があり、当該回路基板と当該ベースの初期結合体を、当該枠体の凹み空間に挿入する時、当該ベースの平面案内側壁を当該枠体の平面案内側壁に沿って移動して、当該ベースのフックが、当該枠体の対応する係止穴に係止されることにより、安定的に、当該枠体の底部の開口に結合されるベースと、底端の近くに突出した横棒が設けられ、位置付け部品を挿入するための位置付け穴が設けられ、当該ベースの貫通孔を通して当該位置付け穴が当該ベースの上面より高い位置に位置付けることができ、また、上方から弾性部品が嵌設され、そして、当該位置付け部品を挿入してから、手を放すと、降下して、当該弾性部品の一端が位置付けられ、そのもう一端が、当該枠体の階段面に抵当し、更に、当該回路基板と当該枠体の対応する貫通孔を通し、当該横棒が、当該枠体の係止孔の低抵当部に位置する時、上端が枠体から突出しなく、当該横棒が、当該枠体の係止孔の高抵当部に位置する時、当該弾性部品の回復力により、上へ移動し、そして、枠体を通して上蓋の貫通孔に位置し、係止される係止レバーと、が含有される、ことを特徴とするPL灯ベースである。
【考案を実施するための最良の形態】
【０００８】
図１〜３は、本考案のPL灯ベースの第１の実施例であり、主として、上蓋１０と、枠体２０と、ベース４０と、係止レバー５０とからなる。
【０００９】
当該上蓋１０は、短い円柱体であり、中央に雄ネジ穴１１があり、両側に、それぞれ、貫通スロット１２があり、底部に、凹み空間が形成され(図３を参照しながら)、当該凹み空間の側壁において、対応する所定の位置に、それぞれ、左右の二つの挿入槽１３により仕切りされる、それぞれ、導電シート１４が挿設されるための挿設空間１３１が形成され、当該導電シート１４の幅が当該挿入槽１３の幅より小さく、当該導電シート１４の後方に、当該挿設空間１３１の収納槽１３２の内に位置する弾性部品１４１が固設され、当該導電シート１４が、当該弾性部品１４１により付勢され、上蓋１０の中心へ向かって移動するようになり、しかしながら、力を負荷すると、当該挿設空間１３１の中において、移動するようになり、当該導電シート１４に、電線１４２が接続(半田付け)され、当該電線１４２が、当該上蓋１０の雄ネジ穴１１を通して、PL灯ベースが実装された場所に位置する電源に接続され、二つの対称する貫通スロット１５１と二つの対称する貫通孔１５２及び二つの対称する穴１５３とが形成される結合用シート１５があり、当該穴１５３の一端に、拡大された円孔１５３１が形成され、組立てる時、当該シート１５の貫通スロット１５１を、当該上蓋１０の貫通スロット１２に合わせて結合するように、当該上蓋１０の底部に結合し、また、ネジ１６を、当該貫通スロット１５１、１２を通して、上方のナット１７に螺着して、上蓋１０とシート１５が結合される。
【００１０】
当該枠体２０は、円柱体であり、上面に二つの金属製突出ピン２１が固設され(かしめされ)、当該突出ピン２１に、ネック部２１１があり、当該枠体２０の上面に、周縁の近くに貫通孔２２が形成され、当該枠体２０の底部に、凹み空間が形成され、当該凹み空間の開口の近くにある壁体上に、若干(四つ)の係止穴２３が形成され、内側壁の対応する二つの位置に、それぞれ、平面案内側壁２４が設けられ、外壁面に、おねじ２５があり、また、回路基板３０があり、例えば、入力された電流の変圧とフィルター及び整流等のための回路である若干の電子素子が実装された、印刷回路基板であり、これにより、PLランプの駆動を実現し、当該回路基板３０から、上へ向かって二つの電線３１が延伸し、当該電線３１が、当該枠体２０の内部まで延伸して、それぞれ、対応する突出ピン２１に半田付けにより接続され、これにより、電流が、当該回路基板３０へ流れ込み、当該回路基板３０の上に、更に、貫通孔３２と四つの挿入穴３３が形成され、当該貫通孔３２が、当該貫通孔２２に対応する。
【００１１】
当該ベース４０は、ブロック体であり、上面に、それぞれ、クリップ体４２が収納されるための四つの収納穴４１が形成され、当該クリップ体４２に、上へ延伸したガイドシート４２１があり、当該ベース４０に、貫通孔４３が形成され、当該クリップ体４２のガイドシート４２１が、当該回路基板３０の挿入穴３３に挿入されて半田付けられ、当該回路基板３０の貫通孔３２が、当該ベース４０の貫通孔４３に対応し、当該ベース４０の外側壁に、対称する２箇所に平面案内側壁４４が設けられ、また、当該ベース４０の底部の周縁に、組立てる時、対応する当該枠体２０の係止穴２３に係止するための、若干(四つ)の下へ延伸するフック４６が設けられ、当該ベース４０の底部において、中央に、挿入槽４７が形成され、その両側に、それぞれ、小さい挿入穴４８があり、当該クリップ体４２の底部が、当該小さい挿入穴４８の内部に位置し、当該挿入槽４７に、ランプクリップ４９が設けられ、当該クリップ体４２の底端が、クリップ可能の構造であるため、PLランプの底部のベース体を当該挿入槽４７に挿入すると、PLランプの底部のベース体の両側にある係止ブロックが、当該ランプクリップ４９によりクリップされ、また、ベース体上の四つの導電レバーが、それぞれ、対応する小さい挿入穴４８に挿入されると、当該小さい挿入穴４８に収納されたクリップ体４２の底端によりクリップされ、当該回路基板３０にある回路により処理された電流が、当該クリップ体４２を介して、当該PLランプの底部のベース体の導電レバーへ流れることにより、当該PLランプが点灯して蛍光を発光する。
【００１２】
当該係止レバー５０は、底端の近くに突出した横棒５１が設けられ、また、当該係止レバー５０に嵌設される弾性部品５２があり、当該弾性部品５２が、当該横棒５１に抵当し、また、環状体６０があり、当該環状体６０に、雌ねじ６１と、外部へ突出する突出縁６２とがあり、当該雌ねじ６１が当該枠体２０のおねじ２５と螺着することにより、当該環状体６０が、当該枠体２０のおねじ２５に沿って上下に移動でき、また、当該突出縁６２が、上へ突出して延伸した方が良い。
【００１３】
組み立てる時、当該ベース４０を、回路基板３０の結合体と一緒に、当該枠体２０の凹み空間に挿入し、また、当該ベース４０と回路基板３０の貫通孔４３、３２を当該枠体２０の貫通孔２２に合わせて、当該ベース４０の平面案内側壁４４が当該枠体２０の平面案内側壁２４に沿って移動させ、当該ベース４０の四つのフック４６が、それぞれ、当該枠体２０の対応する係止穴２３に係止され、これにより、当該ベース４０が、安定的に、当該枠体２０の底部の開口に結合され、この時、当該回路基板３０が、当該枠体２０の凹み空間の中に収納され、そして、当該係止レバー５０を、当該枠体２０の底部から当該貫通孔４３、３２、２２に挿入し、まず、当該係止レバー５０の上端が当該枠体２０の貫通孔２２から突出してから、当該係止レバー５０を、ある角度に回転して(図４、５を参照しながら)、そして、当該係止レバー５０が、放されると、当該弾性部品５２の回復力により、元の位置に戻り、これにより、当該横棒５１が、丁度、当該枠体２０の階段面２６に位置し、また、当該係止レバー５０の上端が、丁度、当該枠体２０の上面と一致し(図６を参照しながら)、そのため、当該係止レバー５０が、外さないように当該枠体２０の中に位置付けられ、続いて、当該枠体２０上面の突出ピン２１を、それぞれ、対応する当該シート１５の穴１５３の円孔１５３１に挿入し(図７を参照しながら)、そして、当該枠体２０を回転することにより、当該突出ピン２１のネック部２１１が当該穴１５３のもう一端に抵当し、当該突出ピン２１が、当該導電シート１４に付勢することにより、当該導電シート１４の後方に位置する弾性部品１４１を圧縮し(図８を参照しながら)、これにより、当該突出ピン２１と導電シート１４とが、確実的に接触でき、良い導電品質が得られる。
【００１４】
本考案の第１の実施例のPL灯ベースは、図１１のように、当該上蓋１０が実装パネル７０(例えば、天井)の実装孔に嵌設されることができ、当該上蓋１０内の電線１４２と当該実装パネル７０内の電源とを接続すると、電源が、当該導電シート１４に供給され、当該枠体２０の突出ピン２１が当該導電シート１４に抵当するため、電源電流が、当該導電シート１４を介して、それぞれ、当該突出ピン２１と当該回路基板３０の電線３１を流れ、これにより、当該回路基板３０上の電子素子が、変圧やフィルター及び整流等を実現できる。また、当該上蓋１０の周りに、更に、例えば、灯笠８０のようなものを設けても良く、この場合、当該環状体６０を、回転することにより上昇させ、当該灯笠８０は、その突出縁６２で抵当することにより、当該実装パネル７０と当該環状体６０との間に固定され、これにより、灯笠８０が付けたPL灯ベースが、当該実装パネル７０に設けられ、PLランプを使用できる状態になる。
【００１５】
PLランプをPL灯ベースに挿入する時、図９と１０と１１を参照しながら、当該PLランプが、当該ランプクリップ４９によりクリップされて当該ベース４０の挿入槽４７に固定され、PLランプが挿入されることとともに、当該係止レバー５０が、当該PLランプの推力により、上へ移動し、そして、当該弾性部品５２が圧縮され、これにより、当該係止レバー５０の上端が、当該上蓋１０の底部のシート１５の一つの貫通孔１５２まで、突出し、そのため、当該上蓋１０と当該枠体２０とは、当該係止レバー５０の上端による係止により、離れなくなる。この時、電流が、当該PLランプの底部のベース体の導電レバーを流れて、当該PLランプが点灯して蛍光を発光する。以上から分かるように、当該係止レバー５０は、ランプを挿入することにより、上へ移動することにより、上端が、貫通孔１５２の中に入り、そのため、当該枠体２０と上蓋１０とが、回転されることにより、離れることが無いため、給電の状態で、ある人が当該枠体２０を回転することによる危険を避けることができ、そのため、当該係止レバー５０は、使用安全性を向上する効果が得られる。また、他の角度から見れば、ユーザーが、PLランプを挿設する時、スムーズに位置付けることができない場合、即ち、当該係止レバー５０が上へ押されて貫通孔１５２に入り込むことができない場合、上蓋１０と枠体２０とが、完全に螺合されていないことを示し、螺合の動作をやり直すことが必要となり、両者が、確実に螺合される時だけ、ランプが正しく位置付けられることであり、そのため、当該係止レバー５０があることにより、上蓋１０と枠体２０とを確実に螺合することを保証する効果が得られる。
【００１６】
ユーザーは、PL灯ベースを検査する時やPLランプを交換する時、まず、当該PLランプを、当該ベース４０から外して、その時、当該係止レバー５０が、当該弾性部品５２の回復力により、下へ降下して元の位置に戻り、当該シート１５の貫通孔１５２に対する係止が解除され、その後、当該枠体２０を回転することにより、当該枠体２０の突出ピン２１が、回転することにより、当該上蓋１０の底部のシート１５の円孔１５３１の位置に着いて、当該上蓋１０との係止が解除され、これにより、ユーザーが、枠体２０と回路基板３０、ベース４０、係止レバー５０及び環状体６０の組立て体を外して、より便利且つ安全な場所で検査や交換等を行い、その後、改めて、当該枠体２０と当該上蓋１０とを組立てるだけて良い。
【００１７】
図１２は、本考案の第２の実施例の一部の部品の立体分解図であり、本考案の第２の実施例の構造は、前記の第１の実施例と同じように、上蓋と枠体２０’、回路基板、ベース４０’及び係止レバー５０’があり、異なる構造は、当該枠体２０’の開口の近くにある壁体に、係止孔２３’が設けられることであり、当該係止孔２３’は、第１の実施例の係止穴２３の変形であり、高抵当部２３１’と低抵当部２３２’を有する階段状であり、当該ベース４０’に係止槽４６’があり、当該係止槽４６’は、階段状であり、当該枠体２０’の係止孔２３’に対応し、第１の実施例のフック４６の変形であり、当該ベース４０’に、当該枠体２０’の貫通孔２２に対応する貫通孔４３’が形成され、当該係止レバー５０’は、横棒５１’が、当該係止レバー５０’の底端に設置され、当該横棒５１’から離れて、やや当該弾性部品５２の長さと等しい距離に、弾性部品５２の一端を固定するための位置付け部品５４’を挿入するための位置付け穴５３’が設けられ、当該係止レバー５０’は、下から上へ当該ベース４０’の貫通孔４３’を挿入することができる。
【００１８】
組み立てる時、まず、係止レバー５０’を、下から上へ当該ベース４０’の貫通孔４３’に挿入し、そして、当該係止レバー５０’の位置付け穴５３’が当該ベース４０’の上面より高い位置に位置付けるようにし、また、当該弾性部品５２を、上方から当該係止レバー５０’に嵌設し、そして、当該位置付け部品５４’を当該位置付け穴５３’に挿入してから、手を放すと、当該弾性部品５２の一端が、当該枠体２０’の階段面２６に抵当し、もう一端が、当該位置付け部品５４’に抵当し(図１４を参照しながら)、この時、当該弾性部品５２に回復力が蓄蔵されているため、当該階段面２６を底端として、当該位置付け部品５４’と係止レバー５０’とを上へ付勢することができる。その後、当該横棒５１’を当該ベース４０’の内部へ向かって回転することにより、当該ベース４０’と、回路基板３０の結合体とを当該枠体２０’の凹み空間に挿入する時、当該横棒５１’が邪魔にならず、そして、当該ベース４０’のフック４６が、スムーズに、当該枠体２０’が対応する係止穴２３に突入し、当該係止レバー５０’の横棒５１’が、対応する当該枠体２０’の係止孔２３’の低抵当部２３２’に入り込み、この時、当該係止レバー５０’の上端が、当該枠体２０’の上面と一致し(突出していない)(図１３と１４を参照しながら)、その後、枠体２０’と上蓋１０とを回転して結合し(第１の実施例と同じ)、そして、当該係止レバー５０’の横棒５１’を、当該係止孔２３’の高抵当部２３１’の位置に移動すると、図１５と１６を参照しながら、該弾性部品５２の回復力により、当該係止レバー５０’が上へ移動され、当該係止レバー５０’の上端が、当該枠体２０’の貫通孔２２から突出して、当該上蓋１０の底部シート１５の貫通孔１５２まで突入し、これにより、同じように、当該上蓋１０と枠体２０’とが、確実に螺合され、そのため、両者は、安定的に係止されて容易に離れることがない。また、ユーザーが、PLランプを当該ベース４０’の挿入槽４７に挿入することだけで、点灯ができる。
【００１９】
ユーザーは、PL灯ベースを検査する時やPLランプを交換する時、まず、当該PLランプを、当該ベース４０’から外して、当該係止レバー５０’の横棒５１’を、当該係止孔２３’の低抵当部２３２’に移動すると、係止レバー５０’と貫通孔２２との係止が解除され、そのため、この時、当該上蓋１０と当該枠体２０’は、逆方向に回転されることにより分離され、より便利且つ安全な場所で検査や交換等を行うことができる。
【図面の簡単な説明】
【００２０】
【図１】本考案の第１の実施例の外観立体図
【図２】本考案の第１の実施例の立体分解図
【図３】本考案の第１の実施例の正面の立体分解図
【図４】本考案の第１の実施例の組み立ての時の係止レバーがベースでの動作断面図
【図５】本考案の第１の実施例の組み立ての時の係止レバーがベースでの回転動作概念図
【図６】本考案の第１の実施例のPLランプを実装していない時の断面図
【図７】本考案の第１の実施例の枠体と上蓋の組立て図(１)
【図８】本考案の第１の実施例の枠体と上蓋の組立て図(２)
【図９】本考案の第１の実施例のPLランプを実装している時の断面図
【図１０】本考案の第１の実施例のPLランプを実装している時の断面図
【図１１】本考案の第１の実施例を天井に実装する時の概念図
【図１２】本考案の第２の実施例の一部の部品の立体分解図
【図１３】本考案の第２の実施例の係止レバーが係止していない時の組立て図
【図１４】本考案の第２の実施例の係止レバーが係止していない時の断面図
【図１５】本考案の第２の実施例の係止レバーが係止していない時の組立て図
【図１６】本考案の第２の実施例の係止レバーが係止している時の断面図
【符号の説明】
【００２１】
１０                 上蓋
１１                 雄ネジ穴
１２                 貫通スロット
１３                 挿入槽
１３１               挿設空間
１３２               収納槽
１４                 導電シート
１４１               弾性部品
１４２               電線
１５                 シート
１５１               貫通スロット
１５２               貫通孔
１５３               穴
１５３１             円孔
１６                 ネジ
１７                 ナット
２０                 枠体
２１                 突出ピン
２１１               ネック部
２２                 貫通孔
２３                 係止穴
２３                 係止孔
２３１               高抵当部
２３２               低抵当部  
２４                 平面案内側壁
２５                 おねじ
２６                 階段面
３０                 回路基板
３１                 電線
３２                 貫通孔
３３                 挿入穴
４０                 ベース
４１                 収納穴
４２                 クリップ体
４２１               ガイドシート
４３                 貫通孔
４４                 平面案内側壁
４６                 フック
４６                 係止槽
４７                 挿入槽
４８                 小さい挿入穴
４９                 ランプクリップ
５０                 係止レバー
５１                 横棒
５２                 弾性部品
５３                 位置付け穴
５４                 位置付け部品
６０                 環状体
６１                 雌ねじ
６２                 突出縁
７０                 実装パネル
８０                 灯笠
【図１】
0003124008.tif 000003
【図２】
0003124008.tif 000004
【図３】
0003124008.tif 000005
【図４】
0003124008.tif 000006
【図５】
0003124008.tif 000007
【図６】
0003124008.tif 000008
【図７】
0003124008.tif 000009
【図８】
0003124008.tif 000010
【図９】
0003124008.tif 000011
【図１０】
0003124008.tif 000012
【図１１】
0003124008.tif 000013
【図１２】
0003124008.tif 000014
【図１３】
0003124008.tif 000015
【図１４】
0003124008.tif 000016
【図１５】
0003124008.tif 000017
【図１６】
0003124008.tif 000018